(57)【要約】【課題】  合成樹脂フィルムを用いたラベル基材であって、視覚のみならず、触覚においても紙のような印象を消費者に与えることができるラベル基材を提供する。【解決手段】  本発明のラベル基材は、合成樹脂フィルム２と、前記合成樹脂フィルム２の表面側に設けられ且つ複数の第１微粒子３１を含む第１層３と、前記第１層３の表面側に設けられ且つ複数の第２微粒子４１を含む第２層４と、を有し、前記第１微粒子３１の平均粒径が第２微粒子４１の平均粒径よりも大きい。【選択図】  図８
2017167357.tif 000002
【特許請求の範囲】
【請求項１】
合成樹脂フィルムと、
前記合成樹脂フィルムの表面側に設けられ且つ複数の第１微粒子を含む第１層と、
前記第１層の表面側に設けられ且つ複数の第２微粒子を含む第２層と、を有し、
前記第１微粒子の平均粒径が第２微粒子の平均粒径よりも大きい、ラベル基材。
【請求項２】
前記第１微粒子の平均粒径が、前記第２微粒子の平均粒径の１．５倍〜１０倍である、請求項１に記載のラベル基材。
【請求項３】
前記第１層が、前記合成樹脂フィルムの表面側に設けられた第１バインダー樹脂層と、前記第１バインダー樹脂層に固着された前記複数の第１微粒子と、を有し、前記複数の第１微粒子の幾つか又は全部が、前記第１バインダー樹脂層の表面から突出した状態で固着されている、請求項１または２に記載のラベル基材。
【請求項４】
前記第１層が設けられた領域の少なくとも１つの縁が、前記合成樹脂フィルムの縁よりも内側に位置し、
前記第２層が前記第１層が設けられた領域の縁を越えて合成樹脂フィルムの縁にまで又はその近傍にまで延設されている部分を有する、請求項１乃至３のいずれか一項に記載のラベル基材。
【請求項５】
前記合成樹脂フィルムが金属光沢層を含み、表面側から見たときに前記金属光沢層の金属光沢を視認できる領域を有し、
前記金属光沢を視認できる領域の表面側には、前記第１層が設けられておらず、第２層が設けられている、請求項１乃至４のいずれか一項に記載のラベル基材。
【請求項６】
請求項１乃至５のいずれか一項に記載のラベル基材と、前記ラベル基材の裏面に積層された粘着剤層と、を有する粘着ラベル。
【発明の詳細な説明】
【技術分野】
【０００１】
本発明は、粘着ラベル、巻付けラベル、筒状ラベルなどに使用されるラベル基材などに関する。
【背景技術】
【０００２】
従来、飲料容器、食品容器などの各種の容器などの被着体に、様々なラベルが装着されている。
かかるラベルは、通常、紙や合成樹脂フィルムなどのラベル基材を用いて形成される。この中で、合成樹脂フィルムは、紙に比して、綺麗なデザイン印刷を施すことができ、また、機械的強度に優れる上、吸水しないので、ラベル基材として好ましい。一方、紙は、合成樹脂フィルムに比して、消費者に暖かみを感じさせることができ、特に、和紙は、高級感を抱かせることができる。
特許文献１には、合成樹脂製の透明なフィルム層の表裏面に、複数の繊維状模様が印刷された表模様印刷層と裏模様印刷層が設けられ、表模様印刷層と裏模様印刷層は、複数の繊維状模様の一部分が互いに交差するように印刷されていると共に、表模様印刷層の表面に意匠印刷層が設けられ、意匠印刷層の表面に艶消し層が設けられているラベルが開示されている。
【０００３】
特許文献１のラベルは、合成樹脂フィルムを用いつつ、和紙や布地の風合いを有する好ましい外観を呈するものである。
しかしながら、特許文献１のラベルは、それを消費者が触ってみると、紙ではないと簡単に判別できてしまう。
また、ラベルは、容器などの被着体を加飾することが１つの使用目的であるところ、デザイン性に優れていることも求められる。
【先行技術文献】
【特許文献】
【０００４】
【特許文献１】特開２００５−０５５７７７号公報
【発明の概要】
【発明が解決しようとする課題】
【０００５】
本発明の第１の目的は、視覚のみならず、触覚においても紙のような印象を消費者に与えることができる、合成樹脂フィルムを用いたラベル基材及び粘着ラベルを提供することである。
本発明の第２の目的は、デザイン性にも優れたラベル基材及び粘着ラベルを提供することである。
【課題を解決するための手段】
【０００６】
本発明者らは、上記目的を達成するために鋭意研究した。
一般に、艶消し層は、シリカ微粒子などの微粒子が含まれている。本発明者らは、比較的大きな微粒子を用いて艶消し層を形成することにより、その大きな微粒子が、手で感じ取れるほどの微細な凹凸を合成樹脂フィルムの表面に生じさせることを見出した。しかしながら、このような大きな微粒子を用いると、艶消し効果が低下し、合成樹脂フィルム特有の光反射を十分に防止できないことが判ってきた。この理由は明確ではないが、大きな微粒子は、それに一定の方向から入射した光を特定の方向に反射する量が大きく、看者の目に、特定の方向から入る光の量が多くなるためと考えられる。
そこで、本発明者らは、大きな微粒子を用いて表面に微細な凹凸を形成することにより、手で触れたときのザラツキ感を持たせつつ、大きな微粒子の表面に小さな微粒子を配置して、光を乱反射させることにより、艶消し外観を担保するという着想に想到し、本発明を完成した。
【０００７】
本発明のラベル基材は、合成樹脂フィルムと、前記合成樹脂フィルムの表面側に設けられ且つ複数の第１微粒子を含む第１層と、前記第１層の表面側に設けられ且つ複数の第２微粒子を含む第２層と、を有し、前記第１微粒子の平均粒径が第２微粒子の平均粒径よりも大きい。
【０００８】
本発明の好ましいラベル基材は、前記第１微粒子の平均粒径が、前記第２微粒子の平均粒径の１．５倍〜１０倍である。
本発明の好ましいラベル基材は、前記第１層が、前記合成樹脂フィルムの表面側に設けられた第１バインダー樹脂層と、前記第１バインダー樹脂層に固着された前記複数の第１微粒子と、を有し、前記複数の第１微粒子の幾つか又は全部が、前記第１バインダー樹脂層の表面から突出した状態で固着されている。
本発明の好ましいラベル基材は、前記第１層が設けられた領域の少なくとも１つの縁が、前記合成樹脂フィルムの縁よりも内側に位置し、前記第２層が前記第１層が設けられた領域の縁を越えて合成樹脂フィルムの縁にまで又はその近傍にまで延設されている部分を有する。
本発明の好ましいラベル基材は、前記合成樹脂フィルムが金属光沢層を含み、表面側から見たときに前記金属光沢層の金属光沢を視認できる領域を有し、前記金属光沢を視認できる領域の表面側には、前記第１層が設けられておらず、第２層が設けられている。
【０００９】
本発明の別の局面によれば、粘着ラベルを提供する。
この粘着ラベルは、上記何れかのラベル基材と、前記ラベル基材の裏面に積層された粘着剤層と、を有する。
【発明の効果】
【００１０】
本発明のラベル基材は、合成樹脂フィルムを主として用いた基材でありながら、視覚及び触覚において紙のような印象を消費者に与えることができる。
また、本発明のラベル基材は、様々なデザインを表現でき、加飾目的のラベルとして好適に用いることができる。
【図面の簡単な説明】
【００１１】
【図１】本発明の第１例に係るラベル基材の平面図。
【図２】本発明の第２例に係るラベル基材の平面図。
【図３】本発明の第３例に係るラベル基材の一部省略平面図。
【図４】本発明の第４例に係るラベル基材の一部省略平面図。
【図５】本発明の第５例に係るラベル基材の一部省略平面図。
【図６】本発明の第６例に係るラベル基材の一部省略平面図。
【図７】図１のＶＩＩ−ＶＩＩ線で切断して端面を表した参考端面図。
【図８】図２のＶＩＩＩ−ＶＩＩＩ線で切断して端面を表した参考端面図。
【図９】第１層及び第２層の積層部分の１つの例を示す拡大断面図。ただし、第１微粒子及び第２微粒子は、断面で表していない（図１０も同様）。
【図１０】第１層及び第２層の積層部分の他の例を示す拡大断面図。
【図１１】第１層の様々な平面視形状の例を示す拡大参考平面図。
【図１２】本発明の粘着ラベルの平面図。
【図１３】図１２のＸＩＩＩ−ＸＩＩＩ線で切断して端面を表した参考端面図。
【発明を実施するための形態】
【００１２】
以下、本発明について、図面を参照しつつ説明する。
本明細書において、表面側は、ラベル基材又はラベルを基準にして、看者がデザインなどを見る側をいい、裏面側は、その反対面側をいう。横方向は、ラベル基材の面内の１つの方向を指し、縦方向は、前記面内において前記横方向と直交する方向を指す。平面図においては、横方向を紙面の左右方向としている。用語の頭に、「第１」、「第２」を付す場合があるが、この第１などは、用語を区別するためだけに付加されたものであり、その優劣などの特別な意味を持たない。平面視形状は、ラベル基材の表面に対して鉛直方向から見たときの外形状をいう。「ＰＰＰ〜ＱＱＱ］という記載は、「ＰＰＰ以上ＱＱＱ以下」を意味する。
各図における構成要素の厚みなどの寸法及び要素間の比率などは、実際のものと異なっていることに留意されたい。
【００１３】
［ラベル基材の形態］
図１乃至図６は、様々な形態のラベル基材を示す。
図１乃至図６において、説明を判り易くするために、便宜上、第１層が設けられた領域に無数のドットを付し、第２層が設けられた領域に網掛けを付している。また、スマイルマークは、デザインが施されていることを表しているが、このマークの箇所のみにデザインが施されているわけではないことに留意されたい。また、後述するように、第２層は、前記網掛けを付した領域にベタ状に設けられていないことが好ましく、通常は、前記領域内において規則的又は無秩序に点在して設けられる。
【００１４】
図１に示すラベル基材１ａは、１つのラベルとして使用できる大きさ及び形状に形成されたものである。このラベル基材１ａは、１つのラベルを構成するデザイン単位が施されており、枚葉状である。以下、このようなラベル基材を「単位基材」という場合がある。単位基材の裏面に、例えば粘着剤層を設けるなどすることにより、１つのラベルを構成できる。
【００１５】
図１に示すラベル基材１ａは、第１層が設けられた領域の少なくとも１つの縁Ｘ１が、前記合成樹脂フィルムの縁Ｚ１よりも内側に位置し、第２層が前記第１層が設けられた領域の縁Ｘ１を越えて合成樹脂フィルムの縁Ｚ１にまで延設されている部分を有する。具体的には、第１層が設けられた領域の縁Ｘ１の全てが、前記合成樹脂フィルムの縁Ｚ１よりも内側に位置している。第２層は、前記第１層が設けられた領域の縁Ｘ１の全てを越えて合成樹脂フィルムの縁Ｚ１にまで延設されている。
第１層が設けられた領域の少なくとも１つの縁Ｘ１が合成樹脂フィルムの縁Ｚ１よりも内側に位置していることにより、第１層がその縁Ｘ１から剥がれて脱落することを防止できる。特に、第２層が前記第１層が設けられた領域の縁Ｘ１を越えて設けられていることにより、第１層の脱落を確実に防止できる。さらに、第２層が第１層が設けられた領域の縁Ｘ１を越えて合成樹脂フィルムの縁Ｚ１にまで延設されていることにより、ラベル基材１ａ全体において、視覚的に紙のような印象を与えることができる。
なお、特に図示しないが、第１層が設けられた領域の少なくとも１つの縁が、前記合成樹脂フィルムの縁に位置していてもよく、或いは、第２層が設けられた領域の縁が第１層が設けられた領域の縁に重なっていてもよく又は第１層が設けられた領域の縁よりも内側に位置していてもよい。
【００１６】
図１のラベル基材１ａの裏面に粘着剤を設けることにより、前記ラベル基材１ａは、粘着ラベルなどとして使用できる。また、図１のラベル基材１ａを筒状に形成することにより、前記ラベル基材１ａは、筒状ラベルとして使用できる。また、図１のラベル基材１ａの裏面に又は被着体に接着剤などを塗布し、前記ラベル基材１ａを被着体に巻き付けるように装着することにより、前記ラベル基材１ａは、巻付けラベルとして使用できる。
【００１７】
図２に示すラベル基材１ｂも、単位基材であるが、フィルム縁部の一部又は全部において、第１層及び第２層を有さない点で、図１に示すラベル基材１ａと異なっている。図示例では、横方向一方側のフィルム縁部２１において、第１層及び第２層を有さず、横方向反対側のフィルム縁部２２及び縦方向両側のフィルム縁部２３，２４において、第１層を有さず且つ第２層を有する。第１層及び第２層を有さない箇所では、合成樹脂フィルムの表面又は下地印刷層の表面が露出している。前記フィルム縁部２１における第１層及び第２層を有さない箇所の幅は、特に限定されず、例えば、１ｍｍ〜１０ｍｍである。かかる図２のラベル基材１ｂは、第２層が前記第１層が設けられた領域の縁Ｘ１を越えて合成樹脂フィルムの縁Ｚ１の近傍にまで延設されているものである。
【００１８】
図２のラベル基材１ｂも同様に、粘着ラベル、筒状ラベル、巻付けラベルなどとして使用できる。特に、横方向一方側のフィルム縁部２１において合成樹脂フィルムの表面が露出しているラベル基材１ｂは、筒状ラベルとして好適に使用できる。筒状ラベルは、通常、ラベル基材の横方向が周方向となるようにラベル基材を丸め、その横方向一方側のフィルム縁部２１の表面に反対側のフィルム縁部２２の裏面を重ねて接着してシール部を形成することにより得られるが、横方向一方側のフィルム縁部２１において合成樹脂フィルムの表面が露出していることにより、シール部を強固に接着できる。
なお、特に図示しないが、横方向両側のフィルム縁部において、第１層及び第２層を有さないラベル基材でもよく、或いは、横方向両側のフィルム縁部及び縦方向一方側のフィルム縁部において、第１層及び第２層を有さないラベル基材でもよい。また、横方向一方側のフィルム縁部２１において、第１層と第２層の縁が重なっていてもよい。
【００１９】
図１及び図２に示す枚葉のラベル基材１ａ，１ｂの平面視形状は、略四角形状である。四角形状は、長方形状、正方形状、平行四辺形状、台形状などが挙げられる。もっとも、枚葉のラベル基材１ａ，１ｂの平面視形状は、略四角形状に限られず、例えば、略円形状（略円形状には略楕円形状が含まれる）、略三角形状や略六角形状などの略多角形状、略星形状、その他任意の形状でもよい。本発明において、平面視形状の「略」は、本発明の属する技術分野において許容される形状を意味する。前記平面視略四角形状などの略多角形状、略星形状の「略」は、例えば、角部が面取りされている形状、辺の一部が僅かに膨らむ又は窪んでいる形状、辺が若干湾曲している形状などが含まれる。また、前記平面視略円形状の「略」は、例えば、周の一部が僅かに膨らむ又は窪んでいる形状、周の一部が若干直線又は斜線とされた形状などが含まれる。
【００２０】
図３及び図４に示すラベル基材１ｃ，１ｄは、１つのデザイン単位が縦方向に複数繰り返し施されているものである。このようなラベル基材１ｃ，１ｄは、概念的には、複数の単位基材が縦方向に連続的に繋がったものであり、長尺状である。長尺状は、長手方向の長さが短手方向に比して十分に長い略長方形状をいい、例えば、長手方向の長さが短手方向の長さの５倍以上、好ましくは１０倍以上である。長尺状のラベル基材は、必要に応じてロール状に巻き取って保管・運搬される。
図３に示すラベル基材１ｃは、概念的には、図１の単位基材が縦方向に連続的に繋がったものであり、図３に示す矢印Ｓ１の箇所にて横方向に切断することにより、図１に示す枚葉の平面視略四角形状のラベル基材１ａが得られる。図４に示すラベル基材１ｄは、概念的には、図２の単位基材が縦方向に連続的に繋がったものであり、図４に示す矢印Ｓ２の箇所にて横方向に切断することにより、図２に示す枚葉の平面視略四角形状のラベル基材１ｂが得られる。
なお、枚葉の平面視略円形状などのラベル基材は、図３又は図４に示すような長尺のラベル基材を、略円形状に打ち抜くことにより得ることができる。
【００２１】
図５に示すラベル基材は、１つのデザイン単位が縦方向及び横方向に複数繰り返し施されているものである。このようなラベル基材は、概念的には、単位基材が縦方向及び横方向のそれぞれに連続的に繋がったものであり、長尺状である。
図５に示すラベル基材１ｅは、概念的には、図３又は図４のラベル基材１ｃ，１ｄが横方向に連続的に繋がったものである。図５に示す矢印Ｓ３乃至Ｓ６の箇所にて縦方向に切断することにより、図３に示すラベル基材１ｃが２つ得られ、矢印Ｓ４，Ｓ７及びＳ６の箇所にて縦方向に切断することにより、図４に示すラベル基材１ｄが２つ得られる。矢印Ｓ１などの第１層を有さない箇所においては、ラベル基材の切断も容易に行える。
なお、図５では、１つのデザイン単位が横方向に２列配置されたラベル基材１ｅを図示しているが、横方向に３列以上配置されていてもよい。
【００２２】
また、長尺状のラベル基材については、図６に示すように、１つのデザイン単位が横方向に複数繰り返し施されているラベル基材１ｆであってもよい。かかるラベル基材１ｆも、概念的には、単位基材が横方向に連続的に繋がったものであり、長尺状である。図６に示す例は、図１の単位基材（ラベル基材１ａ）が横方向に連続的に繋がったものである。なお、特に図示しないが、図２の単位基材（ラベル基材１ｂ）が横方向に連続的に繋がったものでもよい。さらに、図６に示すラベル基材１ｆが縦方向に複数列繋がったものでもよい。
【００２３】
また、図３乃至図６に示すラベル基材１ｃ，１ｄ，１ｅ，１ｆの縦方向の長さは、特に限定されず、例えば、５ｍ以上であり、好ましくは、１０ｍ以上である。
さらに、各ラベル基材１ａ，１ｂ，１ｃ，１ｄ，１ｅ，１ｆにおいて、触覚及び視覚による紙調の効果を奏するために、第１層が設けられた領域は、ラベル基材の表面の６０％以上であることが好ましく、さらに、７０％以上であることが好ましい。
【００２４】
［ラベル基材の層構成］
ラベル基材１ａ，１ｂは、図７及び図８に示すように、合成樹脂フィルム２と、前記合成樹脂フィルム２の表面側に設けられた複数の第１微粒子を含む第１層３と、前記第１微粒子の表面側に設けられた複数の第２微粒子を含む第２層４と、を有する。前記第１微粒子の平均粒径は第２微粒子の平均粒径よりも大きい。
好ましくは、ラベル基材１ａ，１ｂは、さらに、金属光沢層５、下地印刷層６及びデザイン印刷層７から選ばれる少なくとも１つを有し、より好ましくは、これらの全てを有する。
なお、本発明の効果を損なわない範囲で、本発明のラベル基材は、その他任意の機能層を有していてもよい。
図８に示すラベル基材１ｂは、上述のように、横方向一方側のフィルム縁部２１において、第１層３及び第２層４を有さず、合成樹脂フィルム２の表面が露出している点を除いて、図７のラベル基材１ａと同様である。そのため、以下、図７及び図８との関係では、図７を主として参照して説明し、図７のラベル基材１ａの構成要素に対応する図８のラベル基材１ｂの構成要素に、同一符号を付している。
【００２５】
＜合成樹脂フィルム＞
合成樹脂フィルム２は、合成樹脂を主成分とする柔軟なシート材である。
合成樹脂フィルム２を構成する合成樹脂は、特に限定されず、例えば、ポリスチレンなどのスチレン系樹脂；ポリエチレンテレフタレート、ポリ乳酸などのポリエステル系樹脂；ポリプロピレン、環状オレフィンなどのオレフィン系樹脂；ポリカーボネート系樹脂；塩化ビニル系樹脂などの熱可塑性樹脂から選ばれる１種単独、又は２種以上の混合物などが挙げられる。合成樹脂フィルム２は、１層構造フィルムでもよく、２層以上の積層フィルムでもよい。合成樹脂フィルム２は、通常、１軸延伸フィルム又は２軸延伸フィルムが用いられる。
【００２６】
また、合成樹脂フィルム２は、実質的に熱収縮性及び自己伸縮性を有さないフィルムでもよく、熱収縮性及び／又は自己伸縮性を有するフィルムでもよい。熱収縮性は、熱収縮温度（例えば、７０℃〜１００℃）に加熱されると、少なくとも主延伸方向に収縮する性質をいう。自己伸縮性は、一方向に引張り力を加えると伸張し、引張り力を解除すると、概ね元の長さに復元する性質をいう。
粘着ラベルとして用いるラベル基材の合成樹脂フィルム２は、実質的に熱収縮性及び自己伸縮性を有さないフィルムであることが好ましい。筒状ラベルとして用いるラベル基材の合成樹脂フィルム２は、熱収縮性又は／及び自己伸縮性を有するフィルムであることが好ましい。
【００２７】
合成樹脂フィルム２は、透明でもよく、或いは、不透明でもよい。不透明な合成樹脂フィルム２としては、例えば、合成紙、着色剤を含有させた樹脂材料から形成されたフィルム、発泡樹脂フィルムなどが挙げられる。好ましくは、透明な合成樹脂フィルム２が用いられる。
本明細書において、透明は、ある層又は部分の裏面側に存する文字をその表面側から視認できる状態をいい、無色透明又は有色透明のいずれでもよい。本明細書において、不透明は、ある層又は部分の裏面側に存する文字をその表面側から視認できない状態をいう。
例えば、透明な合成樹脂フィルム２の全光線透過率は、７０％以上であり、好ましくは８０％以上であり、より好ましくは９０％以上である。前記合成樹脂フィルム２の全光線透過率は、ＪＩＳ  Ｋ  ７３６１（プラスチック−透明材料の全光線透過率の試験方法）に準拠した測定法によって測定される値をいう。
前記合成樹脂フィルム２の厚みは、特に限定されないが、例えば、２０μｍ〜２００μｍであり、好ましくは、２０μｍ〜１００μｍである。
【００２８】
＜金属光沢層＞
金属光沢層５は、合成樹脂フィルム２の裏面又は表面に必要に応じて設けられる。
金属光沢層５は、金属光沢を呈する層である。金属光沢層５としては、アルミニウムなどの金属蒸着層、金属箔、アルミニウム粒子などの金属光沢粒子を含む印刷インキを用いて公知の印刷法にて形成された金属光沢印刷層などが挙げられる。例えば、金属光沢層５は、銀色を呈する。
金属光沢層５の厚みは、特に限定されず、金属蒸着層の場合には、例えば、５ｎｍ〜１μｍであり、金属箔の場合には、例えば、１μｍ〜１００μｍであり、金属光沢印刷層の場合には、例えば、１μｍ〜１０μｍである。
金属光沢層５は、合成樹脂フィルム２の裏面側又は表面側の全体（すなわち、面全体）に亘って積層されていてもよく、或いは、一部分を除いた残部全体に亘って積層されていてもよい。金属光沢層５は、通常、ベタ状に設けられる。本明細書において、ある層又は部分がベタ状であるとは、その層又は部分を構成する材料が面方向に延在して１つの連続した層を成していることをいう。
図示例では、金属光沢層５は、合成樹脂フィルム２の裏面全体にベタ状に積層されている。金属光沢層５が合成樹脂フィルム２の裏面に設けられる場合、表面側からその金属光沢を視認できるようにするため、透明な合成樹脂フィルム２が用いられる。
なお、金属光沢層５が合成樹脂フィルム２の表面に設けられる場合（図示せず）、合成樹脂フィルム２は、透明又は不透明の何れを用いてもよい。
【００２９】
＜下地印刷層＞
下地印刷層６は、デザイン印刷層７と同様に、主として加飾目的で設けられる。
下地印刷層６は、有色透明又は不透明の無模様一色の層からなり、好ましくは、不透明の無模様一色の層からなる。下地印刷層６は、従来公知の印刷インキを用いて、公知の印刷法にて形成できる。
下地印刷層６の色彩は、特に限定されず、白色、黄色、赤色、青色などの任意である。好ましくは、下地印刷層６は、無模様で白色を呈する層である。白色の下地印刷層６を設けることにより、下地印刷層６の視認される部分が白色になるので、ラベル基材１ａが紙調に近似した外観を有するようになる。このような白色を呈する下地印刷層６は、例えば、酸化チタンなどの白色顔料を含む印刷インキを用いて、フレキソ印刷法などの印刷法にて形成できる。
【００３０】
下地印刷層６は、合成樹脂フィルム２の裏面側又は表面側に必要に応じて設けられる。金属光沢層５が設けられる場合には、下地印刷層６の色彩が金属光沢層５によって隠されないようにするために、下地印刷層６は金属光沢層５よりも表面側に設けられる。例えば、合成樹脂フィルム２の裏面側に金属光沢層５が設けられる場合には、（１）下地印刷層６は、図示のように、合成樹脂フィルム２の表面に設けられる、或いは、（２）合成樹脂フィルム２の裏面に下地印刷層６が設けられ、その下地印刷層６の裏面に金属光沢層５が設けられる（図示せず）。また、合成樹脂フィルム２の表面側に金属光沢層５が設けられる場合には、下地印刷層６は、その金属光沢層５よりも表面側に設けられる（図示せず）。
【００３１】
下地印刷層６は、合成樹脂フィルム２の表面側又は裏面側の全体（すなわち、面全体）に亘って積層されていてもよく、或いは、一部分を除いた残部全体に亘って積層されていてもよい。下地印刷層６は、通常、ベタ状に設けられる。
図示例では、下地印刷層６は、合成樹脂フィルム２の表面のうち、一部分を除いて設けられている。具体的には、図７に示すように、下地印刷層６は、フィルムの面内の２カ所の部分を除いて、ベタ状に設けられている。図８に示す例では、下地印刷層６は、横方向一方側のフィルム縁部２１及びフィルムの面内の２カ所の部分を除いて、ベタ状に設けられている。なお、下地印刷層６は、横方向反対側又は横方向両側のフィルム縁部にも設けられていなくてもよく、或いは、下地印刷層６は、縦方向一方側又は縦方向両側のフィルム縁部にも設けられていなくてもよく、また、フィルムの面内の１ヶ所又は独立した３カ所以上の部分にも設けられていなくてもよい。下地印刷層６は、デザイン性を考慮して、適宜な部分に設けられる。
下地印刷層６の厚みは、特に限定されず、例えば、１μｍ〜５μｍである。
【００３２】
＜デザイン印刷層＞
デザイン印刷層７は、主として加飾目的で設けられる。
デザイン印刷層７は、文字、絵柄などを表した有色透明又は不透明な一色若しくは多色の層からなる。デザイン印刷層７は、従来公知のカラー印刷インキを用いて、公知の印刷法にて形成できる。
デザイン印刷層７の色彩は、特に限定されず、黒色、灰色、白色、黄色、赤色、青色などの任意である。特に、下地印刷層６に重ねてデザイン印刷層７を積層することにより、表面側から見たときにデザイン印刷層７の文字などが鮮明に際立つようになる。
デザイン印刷層７は、合成樹脂フィルム２の表面側又は裏面側に必要に応じて設けられる。金属光沢層５及び／又は下地印刷層６が設けられる場合には、デザイン印刷層７の色彩が金属光沢層５及び／又は下地印刷層６よって隠されないようにするために、デザイン印刷層７は金属光沢層５及び／又は下地印刷層６よりも表面側に設けられる。
【００３３】
デザイン印刷層７は、合成樹脂フィルム２の表面側又は裏面側の全体（すなわち、面全体）に亘って積層されていてもよく、或いは、一部分を除いた残部全体に亘って積層されていてもよい。
図示例では、デザイン印刷層７は、合成樹脂フィルム２の表面のうち、一部分を除いて設けられている。具体的には、図７に示すように、デザイン印刷層７は、横方向両側のフィルム縁部及びフィルムの面内の２カ所の部分を除いて、ベタ状に設けられている。なお、デザイン印刷層７は、縦方向両側のフィルム縁部にも設けられていなくてもよく、また、フィルムの面内の１ヶ所又は独立した３カ所以上の部分にも設けられていなくてもよい。デザイン印刷層７は、デザイン性を考慮して、適宜な部分に設けられる。
デザイン印刷層７の厚みは、特に限定されず、例えば、１μｍ〜５μｍである。
【００３４】
＜第１層＞
第１層３は、図９に示すように、複数の第１微粒子３１を含んでいる。かかる第１微粒子３１は、主として触覚を通じて紙のような印象を消費者に与える機能を有する。第１層３は、合成樹脂フィルム２の表面側に設けられる。第１層３は、合成樹脂フィルム２の表面に直接設けられていてもよく、或いは、合成樹脂フィルム２の表面に設けられたデザイン印刷層７などの任意の層の表面に設けられていてもよい。
前記複数の第１微粒子３１は、第１バインダー樹脂層３２を介して合成樹脂フィルム２の表面側に分散して固着されている。
【００３５】
詳しくは、第１層３は、前記合成樹脂フィルム２の表面側に設けられた第１バインダー樹脂層３２と、前記第１バインダー樹脂層３２に固着された前記複数の第１微粒子３１と、を有する。
第１層３は、合成樹脂フィルム２の表面側の全体（すなわち、面全体）に亘って積層されていてもよく、或いは、一部分を除いた残部全体に亘って積層されていてもよい。
【００３６】
図示例では、第１層３は、合成樹脂フィルム２の表面のうち、一部分を除いて設けられている。具体的には、図７に示すように、第１層３は、横方向両側のフィルム縁部及びフィルムの面内の２カ所の部分を除く領域に設けられている。なお、第１層３は、フィルムの面内の１カ所又は独立した３カ所以上の部分にも設けられていなくてもよい。
第１層３が設けられた領域の縁Ｘ１の全ては、合成樹脂フィルム２の縁Ｚ１よりも内側に位置している（図１及び図２参照）。
第１層３は、前記領域内にベタ状に設けられていてもよいが、好ましくは、前記領域内に点在して設けられる。すなわち、紙（特に和紙）の表面は単繊維が無秩序に表出しており、その紙の表面の手触り感を付与するため、第１層３は、合成樹脂フィルム２の表面側においてその面内に点在して設けられていることが好ましい。
【００３７】
例えば、図１１（ａ）乃至（ｄ）は、ラベル基材１ａの表面側を見たときの、第１層の形成パターンを示す拡大参考平面図である。第１層が設けられた部分を判り易くするために、便宜上、第１層に無数のドットを付加している。
同図（ａ）に示すように、平面視不定形の第１層３が無秩序に点在して設けられていてもよく、特に図示しないが、平面視定形（例えば、略円形状など）の第１層３が無秩序又は規則的に点在して設けられていてもよい。また、同図（ｂ）に示すように、縦方向に平面視略帯状に延びる第１層３の複数が、等間隔で又は不等間隔で横方向に並んで設けられていてもよく、特に図示しないが、横方向（又は斜め方向）に平面視略帯状に延びる第１層３の複数が、等間隔で又は不等間隔で縦方向に並んで設けられていてもよい。さらに、同図（ｃ）に示すように、縦方向に平面視略波状に延びる第１層３の複数が、等間隔で又は不等間隔で横方向に並んで設けられていてもよく、特に図示しないが、横方向（又は斜め方向）に平面視略波状に延びる第１層３の複数が、等間隔で又は不等間隔で縦方向に並んで設けられていてもよい。また、同図（ｄ）に示すように、第１層３は、平面視略格子状でもよい。
なお、同図（ｂ）においては、略帯状の第１層３の両縁が凹凸状に形成されているが、この縁が直線状でもよく、また、同図（ｃ）においては、略波状の第１層３の両縁が綺麗な曲線状に形成されているが、この縁が凹凸を有する曲線状でもよく、同図（ｄ）においては、略格子状の第１層３の両縁が直線状に形成されているが、この縁が凹凸状に形成されていてもよい。
【００３８】
第１微粒子３１は、透明な微粒子であれば、有機微粒子又は無機微粒子でもよく、或いは、有機微粒子及び無機微粒子の双方でもよい。有機微粒子としては、樹脂ビーズなどが挙げられる。樹脂ビーズの材質としては、アクリル系樹脂、ウレタン系樹脂、メラミン系樹脂、エポキシ系樹脂、ポリエチレン系樹脂、スチレン系樹脂、ポリプロピレン系樹脂、ポリエステル系樹脂、セルロース系樹脂、塩化ビニル系樹脂、ポリアクリルニトリル系樹脂、ポリアミド系樹脂などが挙げられ、好ましくは、アクリル系樹脂、ウレタン系樹脂が用いられる。無機微粒子としては、シリカ（ＳｉＯ２）などが挙げられる。特に、柔軟性に優れ、柔らかい質感を付与することができることから、第１微粒子３１としてウレタン系樹脂ビーズを用いることが好ましい。
【００３９】
前記第１微粒子３１の形状は、特に限定されないが、略球形（略球形には略楕円球形が含まれる）、略球形以外の任意の定形又は不定形が挙げられる。第１微粒子３１としては、略球形のものを用いることが好ましい。例えば、前記樹脂ビーズは、通常、略球形な透明体である。前記略球形は、一部分が少し凹んだ球形及び楕円球形、一部分が少し平坦面となった球形及び楕円球形などを含む。前記略球形の長径及び短径は、特に限定されない。例えば、前記略球形としては、直交する２つの方向から見たときの長径及び短径の関係が、１≦長径／短径＜３であり、好ましくは１≦長径／短径≦２であり、より好ましくは１≦長径／短径≦１．５であるものが含まれる。なお、真円球形は、長径及び短径の区別がなく、前記長径／短径（直径／直径）＝１である。
【００４０】
第１微粒子３１は、後述する第２層４に含まれる第２微粒子よりも平均粒径が大きい。
例えば、前記第１微粒子３１の平均粒径は、前記第２微粒子の平均粒径の  １．５倍〜１０倍であり、好ましくは、１．５倍〜７倍であり、より好ましくは、１．５倍〜５倍である。
第１微粒子３１の平均粒径が第２微粒子の平均粒径に対して  １．５倍未満であると、第１微粒子３１と第２微粒子の粒径差が小さく、第１微粒子３１による光反射を第２微粒子によって拡散できないおそれがあり、前記１０倍を超えると、第１微粒子３１の表面を第２微粒子で良好に覆うことができず、第１微粒子３１による光反射を第２微粒子によって拡散できないおそれがある。
【００４１】
また、第１微粒子３１の平均粒径は、例えば、第２微粒子の平均粒径＋５μｍ〜第２微粒子の平均粒径＋２０μｍであり、好ましくは、第２微粒子の平均粒径＋７μｍ〜第２微粒子の平均粒径＋１５μｍである。
具体的な数値では、第１微粒子３１の平均粒径は、例えば、１０μｍ〜３０μｍであり、好ましくは、１２μｍ〜２５μｍである。
第１微粒子の平均粒径は、個数平均径であって、個数基準における算術平均径を意味する。第１微粒子の平均粒径は、顕微鏡を用いた画像解析により、任意に抽出した第１微粒子の直径（微粒子が球形でない場合には、二軸平均径）を測定して決定できる。
【００４２】
第１バインダー樹脂層３２は、透明又は不透明の何れでもよい。第１バインダー樹脂層３２の裏面側にデザイン印刷層７、下地印刷層６又は金属光沢層５などを設ける場合には、それらの層の色彩を表面側から視認できるようにするため、第１バインダー樹脂層３２は、透明であることが好ましい。
前記第１バインダー樹脂層３２を構成する樹脂成分としては、例えば、ウレタン系樹脂、アクリル系樹脂、塩化ビニル系樹脂、ポリ酢酸ビニル系樹脂、ポリアミド系樹脂、ポリエステル系樹脂、セルロース系樹脂などが挙げられる。これらの樹脂成分は、通常、無色透明である。
【００４３】
第１バインダー樹脂層３２の厚みは、特に限定されず、第１微粒子３１の平均粒径と同じ又はそれよりも小さい若しくは大きくてもよい。例えば、第１バインダー樹脂層３２の厚みは、２μｍ〜３０μｍであり、好ましくは、５μｍ〜２５μｍである。
例えば、図９に示す例では、第１バインダー樹脂層３２の厚みは、第１微粒子３１の平均粒径よりも大きい。第１バインダー樹脂層３２の厚みを第１微粒子３１の平均粒径よりも大きくすることにより、第１微粒子３１の脱落を防止でき、第１微粒子３１の突出状態がランダムとなり、触覚的に紙のような感じを特に与えることができる。
また、図１０に示す例では、第１バインダー樹脂層３２の厚みは、第１微粒子３１の平均粒径よりも小さい。
図９において、複数の第１微粒子３１の幾つかは、前記第１バインダー樹脂層３２の表面から突出した状態で固着されている。また、残りの第１微粒子３１は、第１バインダー樹脂層３２内に埋没した状態で固着されている。
図１０において、複数の第１微粒子３１の全部が、前記第１バインダー樹脂層３２の表面から突出した状態で固着されている。
【００４４】
第１バインダー樹脂層３２の表面から突出した第１微粒子３１は、その下方部が第１バインダー樹脂層３２内に埋まって固着されている。第１微粒子３１の表面積の１／５〜２／３程度が第１バインダー樹脂層３２の表面から突出していることが好ましい。なお、第１微粒子３１の突出部分の表面には、第１バインダー樹脂層３２を構成する樹脂成分が膜状になって付着している場合があることに留意されたい。
【００４５】
第１微粒子３１の個数は、特に限定されないが、余りに少ないと、第１微粒子３１による微細な凹凸が少なくなり、余りに多いと、隣接する第１微粒子３１が密になりすぎて微細な凹凸が生じ難くなり、また、後述するインキとして塗工しにくくなる。
【００４６】
上記第１層３は、複数の第１微粒子３１及び樹脂成分を含む塗工液を所望の平面視形状に塗工し、固化させることによって形成できる。前記塗工液としては、例えば、着色剤を含まないインキ（いわゆるメジウムインキ）に、複数の第１微粒子３１を分散させた印刷インキなどを用いることができる。このような印刷インキとしては、例えば、全体を１００質量％とした場合に、第１微粒子３１を５質量％〜８０質量％、好ましくは７質量％〜６０質量％、より好ましくは１０質量％〜４０質量％含むメジウムインキなどが挙げられる。前記印刷インキは、紫外線硬化型、溶剤揮発型などの従来公知のものを用いることができる。
かかる第１微粒子３１を含む印刷インキを、シルクスクリーン印刷法などの公知の印刷法にて所望の平面視形状に印刷し、インキを固化させることによって第１層３を形成できる。
【００４７】
＜第２層＞
第２層４は、図９に示すように、複数の第２微粒子４１を含んでおり、かかる第２微粒子４１が主として視覚を通じて紙のような印象を消費者に与える。第２層４は、第１層３の表面側に設けられる。
前記複数の第２微粒子４１は、第２バインダー樹脂層４２を介して第１層３の表面に分散して固着されている。
【００４８】
詳しくは、第２層４は、前記第１層３の表面側に設けられた第２バインダー樹脂層４２と、前記第２バインダー樹脂層４２に固着された前記複数の第２微粒子４１と、を有する。
第２層４は、第１層３の表面に重なるように積層されていればよく、例えば、第１層３の表面のみに積層されていてもよく、或いは、合成樹脂フィルム２の表面側の全体（すなわち、面全体）に亘って積層されていてもよく、或いは、合成樹脂フィルム２の表面側の一部分を除いた残部全体に亘って積層されていてもよい。
好ましくは第２層４は、ベタ状に設けられる。
【００４９】
図７に示す例では、第２層４は、第１層３の表面を含む合成樹脂フィルム２の表面側の全体に設けられている。すなわち、第２層４は、図１に示すように、第１層３の表面から、第１層３が設けられた領域の縁Ｘ１を越えて合成樹脂フィルム２の縁Ｚ１にまで延設されている。
また、図８に示す例では、第２層４は、第１層３の表面を含む合成樹脂フィルム２の表面側のうち、一部分を除いて設けられている。具体的には、図８に示すように、第２層４は、横方向のフィルム縁部２１を除く領域に設けられている。なお、第２層４は、縦方向両側のフィルム縁部にも設けられていなくてもよく、また、フィルムの面内の少なくとも１カ所の部分にも設けられていなくてもよい。第２層４は、図２に示すように、第１層３の表面から、第１層３が設けられた領域の縁Ｘ１を越えて合成樹脂フィルム２の縁Ｚ１の近傍にまで延設されている部分を有する。
【００５０】
第２微粒子４１は、透明な微粒子であって、第１微粒子３１よりも平均粒径の小さい微粒子であれば、有機微粒子又は無機微粒子でもよく、或いは、有機微粒子及び無機微粒子の双方でもよい。有機微粒子としては、上述の樹脂ビーズなどが挙げられる。無機微粒子としては、シリカ（ＳｉＯ２）などが挙げられる。
前記第２微粒子４１の形状は、特に限定されないが、略球形（略球形には略楕円球形が含まれる）、略球形以外の任意の定形又は不定形が挙げられる。第２微粒子４１として、シリカなどの無機微粒子を用いる場合には、その形状は、不定形であることが多い。
【００５１】
第２微粒子４１は、上記第１層３に含まれる第１微粒子３１よりも平均粒径が小さい。
例えば、第２微粒子４１の平均粒径は、例えば、１μｍ〜１０μｍであり、好ましくは、２μｍ〜８μｍである。
第２微粒子の平均粒径は、個数平均径であって、個数基準における算術平均径を意味する。第２微粒子の平均粒径は、顕微鏡を用いた画像解析により、任意に抽出した第２微粒子の直径（微粒子が球形でない場合には、二軸平均径）を測定して決定できる。
【００５２】
第２バインダー樹脂層４２は、透明である。
前記第２バインダー樹脂層４２を構成する樹脂成分としては、例えば、ウレタン系樹脂、アクリル系樹脂、塩化ビニル系樹脂、ポリ酢酸ビニル系樹脂、ポリアミド系樹脂、ポリエステル系樹脂、セルロース系樹脂などが挙げられる。これらの樹脂成分は、通常、無色透明である。
【００５３】
第２バインダー樹脂層４２の厚みは、特に限定されず、第２微粒子４１の平均粒径と同じ又はそれよりも小さい若しくは大きくてもよい。好ましくは、第２バインダー樹脂層４２の厚みは、第２微粒子４１の平均粒径よりも小さい。第２バインダー樹脂層４２の厚みを第２微粒子４１の平均粒径よりも小さくすることにより、第２微粒子４１の突出状態が良好となり、第１微粒子３１の光反射を確実に防止でき、視覚的に紙のような感じを付与でき易くなる。例えば、第２バインダー樹脂層４２の厚みは、１μｍ〜１０μｍであり、好ましくは、１μｍ〜４μｍである。
図９及び図１０において、複数の第２微粒子４１の幾つかは、前記第１微粒子３１の表面側に位置している（第１微粒子３１に重なっている）。例えば、第１バインダー樹脂層３２の表面から突出した第１微粒子３１の表面に、複数の第２微粒子４１が固着されている。また、図９に示すように、第１バインダー樹脂層３２内に埋没した第１微粒子３１の表面側に、複数の第２微粒子４１が固着されている。
複数の第２微粒子４１の幾つかは、第２バインダー樹脂層４２内に埋没した状態で固着され、残りの第２微粒子４１は、第２バインダー樹脂層４２の表面から突出した状態で固着されている。
なお、第１微粒子３１の突出部分及び第２微粒子４１の突出部分の表面には、第２バインダー樹脂層４２を構成する樹脂成分が膜状になって付着している場合があることに留意されたい。
【００５４】
第２微粒子４１の個数は、特に限定されないが、余りに少ないと、第２微粒子４１による艶消し効果が低下し、余りに多いと、隣接する第２微粒子４１が密になりすぎて第１微粒子３１に起因する微細な凹凸が生じ難くなる。
【００５５】
上記第２層４は、複数の第２微粒子４１及び樹脂成分を含む塗工液をベタ状に塗工し、固化させることによって形成できる。前記塗工液としては、例えば、着色剤を含まないインキ（いわゆるメジウムインキ）に、複数の第２微粒子４１を分散させた印刷インキなどを用いることができる。このような印刷インキは、マットインキとも呼ばれる。前記印刷インキとしては、例えば、全体を１００質量％とした場合に、第２微粒子４１を１質量％〜８０質量％、好ましくは５質量％〜５０質量％、より好ましくは７質量％〜４０質量％含むインキなどが挙げられる。前記印刷インキは、紫外線硬化型、溶剤揮発型などの従来公知のものを用いることができる。かかる第２微粒子４１を含む印刷インキを、フレキソ印刷法などの公知の印刷法にてベタ状に印刷し、インキを固化させることによって第２層４を形成できる。
【００５６】
［ラベル基材の効果］
本発明のラベル基材は、合成樹脂フィルム２の表面側に複数の第１微粒子３１を含む第１層３が設けられているので、ラベル基材の表面には前記第１微粒子３１に起因した微細な凹凸が生じている。かかるラベル基材の表面を手で触れるとザラツキを感じ、本発明のラベル基材は、恰も紙（特に和紙）のような印象を消費者に与えることができる。
さらに、本発明のラベル基材は、第１微粒子３１を含む第１層３の表面側に複数の第２微粒子４１を含む第２層４が設けられているので、比較的粒径の大きい第１微粒子３１の光反射を第２微粒子４１が無秩序に拡散又は分散し、その結果、ラベル基材の表面にて光が乱反射するようになる。かかる第２微粒子４１の艶消し効果によって、本発明のラベル基材の表面は、恰も紙のように見えるようになる。特に、平均粒径が第２微粒子４１の１．５倍〜１０倍である第１微粒子３１を用いることにより、視覚的に且つ触感的に優れた加飾が表出されたラベル基材を提供できる。
このように本発明によれば、合成樹脂フィルム２を用いつつ、触覚及び視覚を通じて紙のような印象を消費者に与えることができるラベル基材を提供できる。
【００５７】
さらに、前記金属光沢層５、下地印刷層６、デザイン印刷層７、第１層３及び第２層４から選ばれる２つ以上の積層構造を適宜選択することにより、デザイン性に優れたラベル基材を提供できる。
図７及び図８を参照して、ラベル基材の１つの表面の１つの領域である、領域Ａにおいては、表面側から順に、第２層４／第１層３／デザイン印刷層７／下地印刷層６／金属光沢層５が積層されている（ただし、積層構造には合成樹脂フィルム２も含まれているが、それは省略している。以下、この欄で同じ）。かかる領域Ａにおいては、前記触覚及び視覚による紙調の効果に加えて、デザイン印刷層７と下地印刷層６が相俟って、恰も紙の上にデザインが印刷されているように見える。
また、領域Ｂにおいては、表面側から順に、第２層４／金属光沢層５が積層されている。かかる領域Ｂにおいては、金属光沢層５の金属光沢と第２層４の艶消し効果が相乗して、（鏡のような輝き過ぎる光沢を呈さず）良好な金属光沢を呈する。
領域Ｃにおいては、表面側から順に、第２層４／第１層３／金属光沢層５が積層されている。かかる領域Ｃにおいては、前記領域Ｂと同様に、金属光沢層５の金属光沢と第２層４の艶消し効果が相乗するが、第１層３が介在しているので、微細な凹凸を有した外観となる。
領域Ｄにおいては、表面側から順に、第２層４／デザイン印刷層７／下地印刷層６／金属光沢層５が積層されている。かかる領域Ｄにおいては、視覚により紙調に見えるようになる。
領域Ｅにおいては、表面側から順に、第２層４／デザイン印刷層７／金属光沢層５が積層されている。かかる領域Ｅにおいては、金属光沢色の背景の中にデザインが見え、高級感を与えるデザインとなる。例えば、デザイン印刷層７の色彩として透明性を有する黄色を用い、金属光沢層５の色彩として銀色を用いた場合には、その金属光沢層５とデザイン印刷層７の色彩が融合して、金色の外観を呈するようにもできる。
領域Ｆにおいては、表面側から順に、第２層４／下地印刷層６／金属光沢層５が積層されている。
領域Ｇにおいては、表面側から順に、第２層４／第１層３／下地印刷層６／金属光沢層５が積層されている。
図８の領域Ｈにおいては、第２層４などを有さず、金属光沢層５が積層されている。かかる領域Ｈにおいては、合成樹脂フィルム２の表面が露出している。なお、この領域Ｈに下地印刷層６などを積層すると、横方向一方側の縁部２１において下地印刷層６などの表面が露出したラベル基材となる。
なお、図７及び図８は、各領域の層構成を判り易く図示したものであり、各領域の配置や大きさなどは実際とは異なることに留意されたい。
【００５８】
［ラベル基材の用途］
本発明のラベル基材１ａ，…は、上述のように、粘着ラベル、筒状ラベル、巻付けラベルなどとして利用できる。
粘着ラベル１０は、図１２及び図１３に示すように、ラベル基材１ａの裏面に粘着剤層９が設けられたものである。なお、図１３では、ラベル基材の層構成の図示を省略し、ラベル基材を１つの層で示している。粘着剤層９を形成する粘着剤としては、従来公知のものを使用でき、代表的には、感圧粘着剤、感熱粘着剤などが挙げられる。感圧粘着剤を用いる場合には、通常、離型紙（図示せず）の上に粘着ラベル１０（粘着剤層９の裏面）が添付される。なお、感熱粘着剤を用いる場合には、通常、離型紙は不要であるが、離型紙上に添付してもよい。
図示例では、ラベル基材１ａの裏面の全体に粘着剤層９がベタ状に設けられた粘着ラベル１０を示している。もっとも、粘着剤層の裏面が部分的に露出するようにした粘着ラベルでもよい。粘着ラベルは、例えば、表示ラベル、ＰＯＰラベル、封緘ラベルなどの従来公知の用途に使用できる。
【００５９】
なお、図３乃至図６のような長尺状のラベル基材１ｃ，１ｄ，１ｅ，１ｆの裏面に粘着剤層を設けてもよい。このような長尺状のラベル基材に粘着剤層を設けたものは、概念上、複数の粘着ラベルが連続的に繋がった粘着ラベル連続体である。前記連続体を構成する長尺状のラベル基材の中に、粘着ラベルを構成しない部分（不要部分）が含まれている場合には、必要に応じて、その不要部分を除去する。このような連続体は、必要に応じて離型紙上に添付され、ロール状に巻き取って保管・運搬される。
かかる連続体から１つの単位基材を切り出すことによって、図１２などに示すような１つの粘着ラベルが得られる。
【符号の説明】
【００６０】
１ａ，１ｂ，１ｃ，１ｄ，１ｅ，１ｆ  ラベル基材
２  合成樹脂フィルム
３  第１層
３１  第１微粒子
３２  第１バインダー樹脂層
４  第２層
４１  第２微粒子
４２  第２バインダー樹脂層
５  金属光沢層
６  下地印刷層
７  デザイン印刷層
９  粘着剤層
１０  粘着ラベル
【図１】
2017167357.tif 000003
【図２】
2017167357.tif 000004
【図３】
2017167357.tif 000005
【図４】
2017167357.tif 000006
【図５】
2017167357.tif 000007
【図６】
2017167357.tif 000008
【図７】
2017167357.tif 000009
【図８】
2017167357.tif 000010
【図９】
2017167357.tif 000011
【図１０】
2017167357.tif 000012
【図１１】
2017167357.tif 000013
【図１２】
2017167357.tif 000014
【図１３】
2017167357.tif 000015